(57)【要約】【課題】密着して折り畳まれた場合においても、使用時に広げ易い家庭用薄葉紙及び家庭用薄葉紙積層体を提供する。【解決手段】矩形状のトイレクリーナー１００であって、トイレクリーナー１００の長辺又は短辺と平行な折り目において所定回数折り畳まれており、第一回目に折り畳まれた折り目が、トイレクリーナー１００の長辺又は短辺の中央からずれている。当該折り目は、トイレクリーナー１００の長辺又は短辺の中央から１ｍｍ以上５ｍｍ以下ずれていることが好ましい。【選択図】図９
2019162279.tif 000002
【特許請求の範囲】
【請求項１】
矩形状の家庭用薄葉紙であって、
当該家庭用薄葉紙の長辺又は短辺と平行な折り目において所定回数折り畳まれており、
第一回目に折り畳まれた折り目が、当該家庭用薄葉紙の長辺又は短辺の中央からずれていることを特徴とする家庭用薄葉紙。
【請求項２】
前記第一回目に折り畳まれた折り目は、当該家庭用薄葉紙の長辺又は短辺の中央から１ｍｍ以上５ｍｍ以下ずれていることを特徴とする請求項１に記載の家庭用薄葉紙。
【請求項３】
当該家庭用薄葉紙の長辺に沿う方向及び短辺に沿う方向の少なくとも一方に、凸部と凹部とが交互に配置され、凸部と凹部との間に中間部を有するパターンのエンボスが全面に亘って形成され、
一方の側の前記凸部が、他方の側の前記凹部に入り込むように折り畳まれていることを特徴とする請求項１又は２に記載の家庭用薄葉紙。
【請求項４】
パルプ及び水溶性バインダーを含有する実質的に水分解可能な複数プライの原紙シートに水性薬剤が含浸された水解性シートであることを特徴とする請求項１から３のいずれか一項に記載の家庭用薄葉紙。
【請求項５】
前記原紙シートは、３プライのシートであることを特徴とする請求項４に記載の家庭用薄葉紙。
【請求項６】
所定回数折り畳まれた矩形状の請求項１から５のいずれか一項に記載の家庭用薄葉紙が複数枚積層されてなることを特徴とする家庭用薄葉紙積層体。
【請求項７】
所定回数折り畳まれた矩形状の家庭用薄葉紙の製造方法であって、
当該家庭用薄葉紙に対して折り加工を施す折り加工工程を含み、
当該折り加工工程では、当該家庭用薄葉紙の長辺又は短辺と平行な折り目において、所定回数折り加工を施し、
第一回目の折り加工において、当該家庭用薄葉紙の長辺又は短辺の中央からずれた位置において折り畳むことを特徴とする家庭用薄葉紙の製造方法。
【請求項８】
家庭用薄葉紙積層体の製造方法であって、
家庭用薄葉紙に対して折り加工を施す折り加工工程と、
前記折り加工工程で折り加工が施された前記家庭用薄葉紙に水性薬剤が含浸される含浸工程と、
前記含浸工程で水性薬剤が含浸された前記家庭用薄葉紙が複数枚積層される積層工程と、を含み、
前記折り加工工程では、当該家庭用薄葉紙の長辺又は短辺と平行な折り目において、所定回数折り加工を施し、
第一回目の折り加工において、当該家庭用薄葉紙の長辺又は短辺の中央からずれた位置において折り畳むことを特徴とする家庭用薄葉紙積層体の製造方法。
【発明の詳細な説明】
【技術分野】
【０００１】
本発明は、家庭用薄葉紙、家庭用薄葉紙積層体、家庭用薄葉紙の製造方法及び家庭用薄葉紙積層体の製造方法に関する。
【背景技術】
【０００２】
現在、トイレクリーナーやキッチンクリーナー等の家庭用薄葉紙は、風合い、吸収性及び嵩高性等を向上させるために、クレープ紙などの原紙を複数枚プライ加工して１枚のシートとしたものが一般的に使用されており、このような家庭用薄葉紙の表面強度や嵩高性を高めるためにエンボス加工を施している。
そして、折り畳まれた状態でもエンボスが潰れにくい家庭用薄葉紙を実現するため、凸部と凹部とが交互に配置されるようにエンボス加工を施し、一方の側の凸部が、他方の側の凹部に入り込むように折り畳まれたものが知られている（例えば、特許文献１参照）。
【先行技術文献】
【特許文献】
【０００３】
【特許文献１】特開２０１７−１３４８４号公報
【発明の概要】
【発明が解決しようとする課題】
【０００４】
しかしながら、特許文献１に記載された家庭用薄葉紙のようにエンボスの凸部が凹部に入り込むように折り畳まれている場合等、シート同士が密着して折り畳まれる場合には、折り畳まれたシートを広げ難くなり、複数プライのシートである場合、剥がす位置を誤って、これを分離させてしまうことも多かった。
【０００５】
本発明の課題は、密着して折り畳まれた場合においても、使用時に広げ易い家庭用薄葉紙及び家庭用薄葉紙積層体を提供することにある。
【課題を解決するための手段】
【０００６】
前記課題を解決するために、請求項１記載の発明は、
矩形状の家庭用薄葉紙であって、
当該家庭用薄葉紙の長辺又は短辺と平行な折り目において所定回数折り畳まれており、
第一回目に折り畳まれた折り目が、当該家庭用薄葉紙の長辺又は短辺の中央からずれていることを特徴とする。
本発明によれば、家庭用薄葉紙につき、密着して折り畳まれた場合においても、使用時に広げ易くなる。
【０００７】
請求項２に記載の発明は、請求項１に記載の家庭用薄葉紙において、
前記第一回目に折り畳まれた折り目は、当該家庭用薄葉紙の長辺又は短辺の中央から１ｍｍ以上５ｍｍ以下ずれていることを特徴とする。
本発明によれば、家庭用薄葉紙につき、密着して折り畳まれた場合においても、使用時にさらに広げ易くなる。
【０００８】
請求項３に記載の発明は、請求項１又は２に記載の家庭用薄葉紙において、
当該家庭用薄葉紙の長辺に沿う方向及び短辺に沿う方向の少なくとも一方に、凸部と凹部とが交互に配置され、凸部と凹部との間に中間部を有するパターンのエンボスが全面に亘って形成され、
一方の側の前記凸部が、他方の側の前記凹部に入り込むように折り畳まれていることを特徴とする。
本発明によれば、家庭用薄葉紙につき、折り畳まれた状態においてエンボスが潰れ難く、かつ乾燥し難くすることができる。
【０００９】
請求項４に記載の発明は、請求項１から３のいずれか一項に記載の家庭用薄葉紙において、
パルプ及び水溶性バインダーを含有する実質的に水分解可能な複数プライの原紙シートに水性薬剤が含浸された水解性シートであることを特徴とする。
本発明によれば、家庭用薄葉紙が、水性薬剤が含浸された水解性シートである場合につき、密着して折り畳まれた場合においても、使用時に広げ易くなる。
【００１０】
請求項５に記載の発明は、請求項４に記載の家庭用薄葉紙において、
前記原紙シートは、３プライのシートであることを特徴とする。
本発明によれば、シート層の間に空気が入り、家庭用薄葉紙を柔らかくしなやかにすることができる。
【００１１】
請求項６に記載の発明は、家庭用薄葉紙積層体において、
所定回数折り畳まれた矩形状の請求項１から５のいずれか一項に記載の家庭用薄葉紙が複数枚積層されてなることを特徴とする。
本発明によれば、使用時に広げ易い家庭用薄葉紙が積層された家庭用薄葉紙積層体を提供することができる。
【００１２】
請求項７に記載の発明は、
所定回数折り畳まれた矩形状の家庭用薄葉紙の製造方法であって、
当該家庭用薄葉紙に対して折り加工を施す折り加工工程を含み、
当該折り加工工程では、当該家庭用薄葉紙の長辺又は短辺と平行な折り目において、所定回数折り加工を施し、
第一回目の折り加工において、当該家庭用薄葉紙の長辺又は短辺の中央からずれた位置において折り畳むことを特徴とする。
本発明によれば、密着して折り畳まれた場合においても、使用時に広げ易い家庭用数用紙を製造することができる。
【００１３】
請求項８に記載の発明は、家庭用薄葉紙積層体の製造方法において、
家庭用薄葉紙に対して折り加工を施す折り加工工程と、
前記折り加工工程で折り加工が施された前記家庭用薄葉紙に水性薬剤が含浸される含浸工程と、
前記含浸工程で水性薬剤が含浸された前記家庭用薄葉紙が複数枚積層される積層工程と、を含み、
前記折り加工工程では、当該家庭用薄葉紙の長辺又は短辺と平行な折り目において、所定回数折り加工を施し、
第一回目の折り加工において、当該家庭用薄葉紙の長辺又は短辺の中央からずれた位置において折り畳むことを特徴とする。
本発明によれば、使用時に広げ易い家庭用薄葉紙が積層され、かつ水性薬剤が均等に含浸された家庭用薄葉紙積層体を製造することができる。
【発明の効果】
【００１４】
本発明によれば、密着して折り畳まれた場合においても、使用時に剥がし易い家庭用薄葉紙及び家庭用薄葉紙積層体を提供することができる。
【図面の簡単な説明】
【００１５】
【図１】実施形態１の家庭用薄葉紙の一例を示す平面図である。
【図２】図１のＡ−Ａ部分拡大図である。
【図３】（ａ）は、図２のＢ−Ｂ切断部端面図、（ｂ）及び（ｃ）は、家庭用薄葉紙をＸ方向に水平な直線を折り目として折り畳んだ場合の一例を示す断面図である。
【図４】実施形態１に係る家庭用薄葉紙の製造方法を示すフローチャートである。
【図５】実施形態１に係る家庭用薄葉紙の製造設備（溶液付与設備）の一例を示す模式図である。
【図６】実施形態１に係る家庭用薄葉紙の製造設備（加工設備）の一例を示す模式図である。
【図７】抄造装置の一例を示す概略図である。
【図８】実施形態２に係る家庭用薄葉紙積層体の一例を示す断面図である。
【図９】実施形態１の家庭用数用紙の折り畳み方の一例を示す図である。
【発明を実施するための形態】
【００１６】
以下、図面を参照しつつ、本発明の実施形態である家庭用薄葉紙及び家庭用薄葉紙積層体を詳細に説明する。但し、発明の範囲は、図示例に限定されない。
【００１７】
なお、以下においては、水解性シートであるトイレクリーナー１００を本発明に係る家庭用薄葉紙の一例にして説明する。また、トイレクリーナー１００の図面縦方向をＸ方向、トイレクリーナー１００の図面横方向をＹ方向として説明する。
【００１８】
また、トイレクリーナー１００のＹ方向は、抄紙機上の紙の進行（漉き目の）方向（マシン方向（ＭＤ方向）：machine direction）であり、トイレクリーナー１００のＸ方向は、抄紙機の幅（流れ目に直角）方向（クロスマシン方向（ＣＤ方向）、cross machine direction）である。
【００１９】
（実施形態１）
実施形態１に係るトイレクリーナー１００は、複数枚の原紙がプライ加工（積層）されたものであって、所定の薬液が塗布されている。原紙の枚数は問わないが、３枚の原紙が積層された３プライのシートであることが好ましい。３プライのシートであれば、シート層の間に空気が入り、柔らかくしなやかである。また、中層に色や印刷のデザインを入れることが可能である。
また、トイレクリーナー１００のシート全面には、図１に示す通り、紙の漉き目の方向（Ｙ方向）に短尺な楕円形状にエンボスＥＭ１１の加工が施されている。
また、図１の図面手前方向に凸部のエンボスＥＭ１１と、図面手前方向に凹部のエンボスＥＭ１１とが交互に配置されている。
トイレクリーナー１００の大きさは、段落［００３７］に記載のように八つ折りにされた際に、ちょうど掌に合うサイズとなるように、ＣＤ方向５０ｍｍから１００ｍｍ、ＭＤ方向１００ｍｍから２００ｍｍであることが好ましく、ＣＤ方向７０ｍｍから１００ｍｍ、ＭＤ方向１２０ｍｍから１５０ｍｍであることがさらに好ましい。
【００２０】
また、トイレクリーナー１００の全面に加工されたエンボスは、図２に示すように、凸部のエンボスＥＭ２１と凹部のエンボスＥＭ２２とが、交互に配置され、凸部のエンボスＥＭ２１と凹部のエンボスＥＭ２２との間に中間部ＭＤ２１を有するエンボスパターンを形成している。ここで、凹部のエンボスＥＭ２２は、凸部のエンボスＥＭ２１を反転した形状である。また、中間部ＭＤ２１は、凸部のエンボスＥＭ２１又は凹分のエンボスＥＭ２２が未形成の部分であり、このため、中間部ＭＤ２１の高さは、凸部のエンボスＥＭ２１よりも低く、凹部のエンボスＥＭ２２よりも高い。
【００２１】
このように、凸部のエンボスＥＭ２１及び凹部のエンボスＥＭ２２がＸ方向においてもＹ方向においても交互に形成されていることで、凸部同士や凹部同士が一列に並んでいるエンボスパターンよりも汚れの拭き取り性を向上させることができる。なお、凸部のエンボスＥＭ２１と凹部のエンボスＥＭ２２の形状は、特に限定されず、円形、楕円形、多角形等が用いられる。各形状を組み合わせたものとしてもよい。
【００２２】
なお、エンボスＥＭ２１及びＥＭ２２の形状としては、図２に示すように、紙の漉き目の方向に短尺な楕円形状であり、且つ、長辺にくびれ部を有する形状、所謂、ひょうたん形状のエンボスが好ましい。
【００２３】
また、トイレクリーナー１００は、折り畳み加工され、折り畳まれた状態で保管用のプラスチックケースや包装フィルム内等に保管され、使用時には必要に応じて広げて使用される。なお、トイレクリーナー１００の折り畳み方については後述する。
【００２４】
また、本実施形態のトイレクリーナー１００は、トイレを掃除した後、そのまま便器の水溜りに廃棄できるように、水解性の繊維集合体から構成されている。
【００２５】
繊維集合体としては、天然繊維、合成繊維又はこれらを混合した繊維等を使用することができ、水解性を有する繊維集合体であれば特に限定されることはない。好適な原料繊維としては、木材パルプ、非木材パルプ、レーヨン、コットン等のセルロース系繊維、ポリ乳酸などからなる生分解性繊維等が挙げられる。また、基材の強度を向上させるために、水溶性バインダーとしてポリビニルアルコール（ＰＶＡ）やカルボキシメチルセルロース（ＣＭＣ）等を配合若しくは塗工・塗布してもよい。
【００２６】
また、本実施形態のトイレクリーナー１００には、所定の薬液が塗布されており、具体的には、水性洗浄剤の他、香料、防腐剤、除菌剤、紙力増強剤等の補助剤を含む所定の薬液が塗布されている。
【００２７】
薬液としては、適宜のものを使用することができ、例えば、水性洗浄剤としては、界面活性剤の他、低級又は高級（脂肪族）アルコールを使用することができる。香料としては、水性香料の他、オレンジオイル等の油性香料の中から、一種又は数種を適宜選択して使用することができる。防腐剤としては、例えば、メチルパラベン、エチルパラベン、プロピルパラベン等のパラベン類を使用することができる。除菌剤としては、アルコール、パラオキシ安息香酸エステル、モノマーの四級アンモニウム塩、塩化セチルピリジニウム、フェノキシエタノール等を使用することができる。紙力増強剤としては、ホウ酸、種々の金属イオン等を使用することができる。
なお、薬液含浸率は、１００％から３００％であることが好ましい。
【００２８】
また、上述した薬液の成分の補助剤については適宜選択可能であり、必要に応じて他の機能を果たす成分を薬液に含ませてもよい。
【００２９】
このようなトイレクリーナー１００を折り加工する際には、凸部のエンボスＥＭ２１と凹部のエンボスＥＭ２２とが組み合わさるようにする。
例えば、図３（ａ）の折り返し点ＰＴ３１（凸部のエンボスＥＭ２１と凹部のエンボスＥＭ２２の間の、中間部ＭＤ２１の中心点）に示すような、トイレクリーナー１００のエンボスＥＭ２１及びＥＭ２２の裾の部分を繋ぐＸ方向に平行な直線を折り目として、トイレクリーナー１００を折り畳んだ場合、図３（ｂ）に示すように、下側（一方の側）にある凸部のエンボスＥＭ２１の膨出部ＰＲ３１が、上側（他方の側）の凹部のエンボスＥＭ２２の膨出部ＰＲ３２に入り込むことになる。
【００３０】
このようにトイレクリーナー１００を折り畳むことにより、トイレクリーナー１００の上側（他方の側）と下側（一方の側）とから圧力がかかった場合であっても、下側（一方の側）にある凸部のエンボスＥＭ２１の膨出部ＰＲ３１が、上側（他方の側）の凹部のエンボスＥＭ２２の膨出部ＰＲ３２に入り込んでいるので、嵩高である多段構造のエンボスＥＭ２１及びＥＭ２２が保護されて潰れにくくなる。
【００３１】
また、このようにして、凸部のエンボスＥＭ２１と凹部のエンボスＥＭ２２とが組み合わさるようにして折り畳まれるようにすることによって、折り畳まれた状態でシートが密着することとなる。これによって、含浸された薬液が蒸発し難くなり、保管中に乾燥し難く、長期間の保管に適したトイレクリーナーを実現することも可能となる。
特に、同じ目付であっても、積層された原紙の枚数が多い多プライのシート程乾燥し易くなるが、本実施形態によれば、３プライ以上のシートにおいても、これを乾燥し難くすることができる。
【００３２】
これに対して、例えば、凸部のエンボスＥＭ２１の膨出部ＰＲ３１の中心を繋ぐＸ方向に平行な直線を折り目として、トイレクリーナー１００を折り畳んだ場合には、図３（ｃ）に示すように、凸部のエンボスＥＭ２１の膨出部ＰＲ３１の頂点同士が当接してしまう。
【００３３】
そして、図３（ｃ）に示すような状態において、トイレクリーナー１００の上側（他方の側）と下側（一方の側）とから圧力がかかった場合には、凹部のエンボスＥＭ２２の膨出部ＰＲ３２に圧力が集中してしまい、凹部のエンボスＥＭ２２が潰れてしまうおそれがある。また、折り畳まれたシート間に間隙が生じ、シートが乾燥し易くなる。
【００３４】
なお、図３（ｂ）に示すように、凸部のエンボスＥＭ２１と凹部のエンボスＥＭ２２の間の、中間部ＭＤ２１の中心点で折り畳まれ、下側（一方の側）にある凸部のエンボスＥＭ２１の膨出部ＰＲ３１が、上側（他方の側）の凹部のエンボスＥＭ２２の膨出部ＰＲ３２に完全に入り込むようにすることが最も好ましい。しかし、ここから多少ずれた位置で折り畳まれても、下側（一方の側）にある凸部のエンボスＥＭ２１の膨出部ＰＲ３１が、上側（他方の側）の凹部のエンボスＥＭ２２の膨出部ＰＲ３２に僅かでも入り込む状態であれば、一定の効果を得ることができる。
また、下側（一方の側）にある凸部のエンボスＥＭ２１の膨出部ＰＲ３１の中心と、上側（他方の側）にある凸部のエンボスＥＭ２１の膨出部ＰＲ３１の中心とが、凸部のエンボスＥＭ２１の幅の２分の１以上ずれ、膨出部ＰＲ３１の平面部分同士があたらないように折り畳まれていれば、膨出部ＰＲ３１の平面部分同士があたってしまう場合と比較すれば、シート同士の密着性を改善することができる。
【００３５】
さらに、トイレクリーナー１００は、Ｘ方向又はＹ方向に平行な折り目において複数回折り畳まれる折り畳み加工がなされることによって、保管用のプラスチックケースや包装フィルム等に収納できる大きさとされるが、その第一の折り畳み時において、シートのＸ方向又はＹ方向の中心位置からずれた折り目によって、シートの端部がずれるように折り畳まれている。
具体的には、シートのＸ方向又はＹ方向の中心位置から１ｍｍから５ｍｍずれた折り目によって折り畳まれ、シートの端部が２ｍｍから１０ｍｍずれて重なっていることが好ましく、シートのＸ方向又はＹ方向の中心位置から１．５ｍｍから２．５ｍｍずれた折り目によって折り畳まれ、シートの端部が３ｍｍから５ｍｍずれて重なっていることがさらに好ましい。
【００３６】
これによって、凸部のエンボスＥＭ２１と、凹部のエンボスＥＭ２２とが組み合わさり、シート同士が密着して折り畳まれていても、このずれを利用してシート同士を容易に剥がして広げることができ、また、複数プライのシートである場合に、これを誤って分離させてしまうおそれも低減することができる。
なお、シート端部のずれが２ｍｍより小さいと広げ易くする効果が十分に得られず、また、１０ｍｍより大きいとシートが重なっていない範囲が広くなり過ぎて、シートが乾燥し易くなり、またシートの見栄えも悪化することから、上記の範囲が好ましい。
【００３７】
具体的には、例えば図９（ａ）に示すＭＤ方向に長い矩形状のトイレクリーナー１００を、まず、ＣＤ方向の中心位置から１ｍｍから５ｍｍずれた位置であり、かつ折り畳んだ際に凸部のエンボスＥＭ２１と凹部のエンボスＥＭ２２とが組み合わさる位置において折り畳み、図９（ｂ）に示す状態とする。
その上で、これをさらに、図９（ｃ）及び（ｄ）に示すように、折り畳んだ際に凸部のエンボスＥＭ２１と凹部のエンボスＥＭ２２とが組み合わさるように、ＭＤ方向に二度折り畳むことによって、トイレクリーナー１００を八つ折りにすることができる。
【００３８】
このように折り畳むためには、例えば、あらかじめトイレクリーナー１００のＣＤ方向の中心位置から１ｍｍから５ｍｍずれたＭＤ方向と水平な直線上に、凸部のエンボスＥＭ２１と凹部のエンボスＥＭ２２の間の中間部ＭＤ２１の中心点が来るようにトイレクリーナー１００を形成しておき、当該地点において最初に折り畳むようにすればよい。
さらに、ＭＤ方向にエンボスを４の倍数列均等に形成し、トイレクリーナー１００をＭＤ方向に４等分する折り目が、いずれも凸部のエンボスＥＭ２１と凹部のエンボスＥＭ２２の間の中間部ＭＤ２１の中心点となるようにすれば、凸部のエンボスＥＭ２１と凹部のエンボスＥＭ２２とが組み合わさるように、ＭＤ方向に二度折り畳むことができる。
【００３９】
なお、折りたたみ方は、上記のような八つ折りに限られず、例えば、ＣＤ方向又はＭＤ方向において、断面がＺ型となるように３つの折り目が形成されるように折り畳まれていてもよい。この場合、さらに折り畳まれたシートを広げ易くなる。
【００４０】
なお、シートの端部がずれるようにして折り畳むことによって折り畳まれたシートを広げ易くする構成は、本実施形態のように凸部のエンボスＥＭ２１と凹部のエンボスＥＭ２２とが組み合わさる場合に限られず、折り畳まれた家庭用薄葉紙において広く用いることができる。
【００４１】
［トイレクリーナー１００の製造方法］
次に、トイレクリーナー１００の製造方法について説明する。
図４は、トイレクリーナー１００の製造方法を示すフローチャートである。図５は、トイレクリーナー１００の原紙シートに対してバインダー溶液を付与する溶液付与設備の模式図である。図６は、図５に示す溶液付与設備でバインダー溶液が付与された原紙シートを加工する加工設備の模式図である。 
【００４２】
トイレクリーナー１００の製造方法では、図４に示すように、先ず、抄紙機（図示省略）で原紙となる紙を抄造する抄紙工程（Ｓ１）を行う。
【００４３】
次いで、図４及び図５に示すように、溶液付与設備において、抄造された原紙を巻取った複数（例えば、２本）の１次原反ロール１，１からそれぞれ繰り出される連続乾燥原紙１Ａ，１Ａをプライ加工しプライ連続シート１Ｂとするプライ加工工程（Ｓ２）と、プライ連続シート１Ｂに対してバインダー溶液を付与し連続シート１Ｃとする溶液付与工程（Ｓ３）と、連続シート１Ｃを乾燥させる乾燥工程（Ｓ４）と、乾燥させた連続水解性シート１Ｄをスリットし巻取るスリット・巻き取り工程（Ｓ５）とを行う。なお、１次原反ロールは２本以上であれば適宜本数を変更可能であるが、以下の説明においては、２本使用する場合の例について説明する。
【００４４】
次いで、図５及び図７に示すように、加工設備において、上記スリット・巻き取り工程（Ｓ５）で巻取った２次原反ロール１１から繰り出される連続水解性シート１Ｄに対してエンボス加工を施すエンボス加工工程（Ｓ６）と、エンボス加工が施されたエンボス済シート１Ｅに対して仕上げ加工を施す仕上げ加工工程（Ｓ７）とを行う。なお、各工程の詳細については、後述する。
【００４５】
〔抄紙工程〕
先ず、本実施形態にかかる抄紙工程（Ｓ１）について説明する。本発明の抄紙工程（Ｓ１）では、例えば、公知の湿式抄紙技術により抄紙原料を抄紙して原紙シートを形成する。すなわち、抄紙原料を湿紙の状態とした後に、ドライヤーなどによりこれを乾燥して、薄葉紙、クレープ紙などの原紙シートを形成する。
原紙シートの原料としては、例えば、既知のバージンパルプ、古紙パルプなどを利用でき、少なくともパルプ繊維を含むものである。この原料となるパルプは、特にＬＢＫＰとＮＢＫＰを適宜の割合で配合したものが適する。なお、パルプ繊維以外の繊維として、レーヨン繊維や合成繊維などが含有されていてもよい。
また、本発明の原紙シートには、凝集剤として、アニオン性アクリルアミド系重合体（以下、「アニオン性ＰＡＭ」する。）が含有される。アニオン性ＰＡＭとは、アクリルアミド系単量体とアニオン性単量体とを共重合して得られる重合体である。 
アクリルアミド系単量体としては、アクリルアミド単独や、アクリルアミドと以下のようなアクリルアミドと共重合可能なノニオン性単量体等と、の混合物である。アクリルアミドと共重合可能なノニオン性単量体としては、メタクリルアミド、Ｎ、Ｎ−ジメチルアクリルアミド、Ｎ、Ｎ−ジエチルアクリルアミド、Ｎ−イソプロピルアクリルアミド、Ｎ−イソプロピルクリルアミド、Ｎ−ヒドロキシエチルアクリルアミド、ダイアセトンアクリルアミド、アクリロイルモルホリン、Ｎ−アクリロイルピロリジン、Ｎ−アクリロイルピペリジン、Ｎ−ビニルロリドン、Ｎ−ビニルホルムアミド、Ｎ−ビニルアセトアミドが例示される。これらは単独で用いても、２種以上を併用しても良い。
アニオン性単量体としては、アクリル酸、メタクリル酸、アクリルアミド−２−メチルプロパンスルホン酸、イタコン酸、マレイン酸、フマル酸、及びこれらの中和塩が例示される。
なお、アニオン性ＰＡＭの水溶性を損ねない程度であれば、スチレン、アクリルニトリル、（メタ）アクリル酸エステル等の単量体を配合してもよい。
アニオン性ＰＡＭの添加量としては、好適には、１０〜１０００ｐｐｍ程度である。このような、パルプと同電荷のアニオン系の凝集剤を用いて抄紙することで、原紙シートの凝集を低下させることができ、毛細管現象により水解性を向上させることができる。
なお、原紙シートには、上述したパルプ及び凝集剤の他、湿潤紙力剤、接着剤、剥離剤等の抄紙用薬品を適宜用いてもよい。
また、本発明の実施形態では、後述する溶液付与設備の溶液付与工程でバインダー溶液が付与されるが、抄紙工程の段階でバインダー溶液を付与するようにしてもよい。
抄紙工程でもバインダー溶液を付与した場合、得られる水解性シート全体の強度を高めることができ、後工程の溶液付与工程で更にバインダー溶液を付与することにより、当該水解性シートの表面強度をより一層高めることができるようになる。
【００４６】
抄紙工程でバインダー溶液を付与する方法としては、例えば、抄紙原料であるパルプを含む分散液中に水溶性バインダーと該水溶性バインダーのパルプ繊維への定着剤を添加して、これを原料として湿式抄造する方法が知られている（特開平３−１９３９９６号公報）。つまり水溶性バインダーを内添する方法である。また、パルプを含む分散液からシートを湿式抄紙し、プレス脱水或いは半乾燥した後に水溶性バインダーを噴霧乾燥或いは塗工乾燥して、所定量の水溶性バインダーを含有する繊維シートを製造することも可能である。つまり水溶性バインダーを外添する方法である。この際には、プレス脱水を行うよりも熱風通過乾燥機などのプレ乾燥方式を用いた方が、低密度でより水解性の良い繊維シートを得ることができる。更に上述の湿式抄紙法ではなく、水を使わずにパルプ繊維を乾式で解繊して、ウェブを形成した後に水溶性バインダーを噴霧し、その後乾燥して繊維シートを製造することも可能である。いわゆるエアレイド製法である。
【００４７】
図７には、バインダーとして水溶性バインダーを用いた場合の繊維シートの製造に好ましく用いられる製造装置の一例の概略図が示されている。図７に示す製造装置（湿式抄造機）は、フォーマー１４と、ワイヤーパートと、第１ドライパート１７と、スプレーパートと、第２ドライパート２４とを備えて構成されている。
【００４８】
フォーマー１４は、調製装置（図示せず）から供給された完成紙料を所定の濃度に調節してワイヤーパートへ供給するものである。図示しない調製装置は、パルプ繊維等の原料を離叩解する装置と、離叩解された原料にサイズ剤、顔料、紙力増強剤、漂白剤、凝集剤等の添加剤を添加する添加装置とを備え、水解紙の特性に応じた所定濃度の原料からなる紙料を完成紙料として調製するように構成されている。また、パルプスラリーにバインダーを混合することも可能である。ワイヤーパートは、フォーマーから供給された完成紙料を抄き網に湿紙として形成するものである。第１ドライパート１７は、ワイヤーパートにおいて形成された湿紙を乾燥させるものである。スプレーパートは、第１ドライパート１７で乾燥された紙にバインダーを噴霧するものである。第２ドライパート２４は、スプレーパートでバインダーが噴霧され湿潤状態になっている紙を乾燥させるものである。
【００４９】
フォーマー１４から供給された完成紙料がワイヤーパートにおいて抄造され、ワイヤー１５上に湿紙が形成される。湿紙は、ワイヤーパートに設置されているサクションボックス１６による吸引によって水分が除去され、所定の水分率となされる。次いで湿紙は、第１ドライパート１７に導入されて乾燥される。第１ドライパート１７はスルーエアードライヤー（以下、ＴＡＤという）から構成されている。ＴＡＤは、周面が通気性を有する回転ドラム１８と、該回転ドラム１８をほぼ気密に覆うフード１９とを備えている。ＴＡＤにおいては、所定温度に加熱された空気がフード１９内に供給されるようになされている。加熱された空気は回転ドラム１８の外側から内部に向けて流通する。湿紙は、図７中、矢印方向に回転する回転ドラム１８の周面に抱かれた状態で搬送される。ＴＡＤ内を搬送されている間、湿紙にはその厚み方向へ加熱空気が貫通し、それによって湿紙は乾燥され紙となる。
【００５０】
第１ドライパート１７で得られた紙には、スプレーパートにおいてバインダーを含む水溶液（バインダー溶液）が噴霧される。スプレーパートは第１及び第２ドライパート１７，２４間の位置である。両ドライパート１７，２４は、コンベアを介して連結されている。
【００５１】
コンベアは、それぞれ矢示方向に回転する上コンベアベルト２０と下コンベアベルト２１とを備えている。コンベア２０は、第１ドライパート１７のＴＡＤによって乾燥されて紙をこれら両ベルト２０，２１間に挟持した状態で第２ドライパート２４へ搬送するように構成されている。上コンベアベルト２０の下流側の折り返し端には真空ロール２２が配置されている。真空ロール２２は、上コンベアベルト２０の裏面に紙を吸着させ、その吸着状態下に上コンベアベルト２０を搬送させるようになっている。
【００５２】
図７に示すように、スプレーパートはスプレーノズル２３を備えている。スプレーノズル２３は第２ドライパート２４の下方で且つ真空ロール２２に対向するように配設されている。スプレーノズル２３は、真空ロール２２に向けてバインダーを含む噴霧液を噴霧して、紙に該噴霧液を添加（外添）するものである。
【００５３】
スプレーパートにおいてバインダーが供給された後、紙は第２ドライパート２４へ搬送される。第２ドライパート２４はヤンキードライヤーから構成されている。噴霧液が噴霧されて湿潤状態となっている紙は、フード２６内に設置されたヤンキードライヤーの回転ドラム２５の周面に抱かれた状態で搬送される。回転ドラム２５に抱かれて搬送されている間に紙の乾燥が進行する。
【００５４】
なお、スプレーパートにおいてバインダーを供給する位置は、第１及び第２ドライパート１７，２４間の位置であればよく、例えば、上コンベアベルト２０の上方（図７に示す第１及び第２ドライパート１７，２４間の矢印位置）からバインダーを噴霧するようにしてもよい。また、更に第２ドライパート２４で乾燥させた後の紙に対して上方（図７に示す第２ドライパート２４の右側の矢印位置）からバインダーを噴霧するようにしてもよい。また、第１及び第２ドライパート１７，２４間、及び第２ドライパート２４の後において、バインダーを噴霧する方向は上方からに限らず、下方からでも、上下両方からでもよい。
【００５５】
本実施形態では、抄紙工程において、原紙シートの縦横の繊維配向の比率（縦／横）が０．８〜２．０、好ましくは１．０となるように調整が行われる。繊維配向の調整は、例えば、抄紙機において、抄紙原料をワイヤーパートに供給する角度を調整することで行うことができる。抄紙原料を供給する角度は、例えば、ヘッドボックスのスライス開度を調整することにより行うことができる。又は、抄紙機の搬送方向（走行方向）と直交する方向に振動を与える等により繊維配向を調整することとしてもよい。
【００５６】
〔連続乾燥原紙〕
連続乾燥原紙１Ａの物性としては、好適には、目付けが１５〜７５ｇｓｍ程度である。また、プライ加工された水溶性バインダーを含むシート（連続水解性シート１Ｄ）の目付けは、３０〜１５０ｇｓｍ程度である。なお、目付けは、ＪＩＳ Ｐ ８１２４に基づくものである。
連続乾燥原紙１Ａは、後述するプライ加工工程（Ｓ２）、溶液付与工程（Ｓ３）、乾燥工程（Ｓ４）、スリット・巻き取り工程（Ｓ５）を経て、プライ加工された水解紙となり、更に、後述するエンボス加工工程（Ｓ６）、仕上げ加工工程（Ｓ７）を経て、トイレクリーナー１００に加工される。
【００５７】
〔プライ加工工程〕
次いで、本実施形態のプライ加工工程（Ｓ２）について説明する。プライ加工工程（Ｓ２）では、図５に示すように、１次原反ロール１から連続的に繰り出される各連続乾燥原紙１Ａ，１Ａを、その連続方向に沿ってプライ加工しプライ連続シート１Ｂとする重ね合わせ部２に供給される。重ね合わせ部２は、一対のロールで構成され、各連続乾燥原紙１Ａ，１Ａをプライ加工し、プライ加工されたプライ連続シート１Ｂを形成する。なお、連続乾燥原紙１Ａ，１Ａ同士を重ね合わせる際に、連続乾燥原紙１Ａ，１Ａ同士がずれにくくなるように、ピンエンボス（コンタクトエンボス）で軽く留めておいてもよい。
【００５８】
なお、図５においては、２枚の連続乾燥原紙１Ａ，１Ａをプライ加工し、２プライのプライ連続シート１Ｂとする場合につき図示したが、これに限られず、同様にして、１次原反ロール１…を３本以上設け、３枚以上の連続乾燥原紙１Ａ…をプライ加工し、３プライ以上のプライ連続シートとすることも可能である。
【００５９】
〔バインダー溶液〕
次いで、バインダー溶液について説明する。バインダー溶液は、カルボキシメチルセルロース（ＣＭＣ）を水溶性バインダーとして含むものである。バインダー溶液中におけるカルボキシメチルセルロースの濃度としては、１〜３０重量％、好ましくは、１重量％以上、４重量％未満とする。
【００６０】
他方、ＣＭＣについては、そのエーテル化度が０．６〜２．０、特に０．９〜１．８、更に好ましくは１．０〜１．５であるのが望ましい。水解性と湿潤紙力の発現が極めて良好となる。
【００６１】
また、ＣＭＣは、水膨潤性のものを用いることができる。これは、薬液中の特定金属イオンの架橋により、未膨潤化のままシートを構成する繊維をつなぎとめる機能を発揮し、清掃・清拭作業に耐えうる拭き取りシートとしての強度を発現することができる。
【００６２】
バインダー溶液中のカルボキシルメチルセルロース以外の成分としては、ポリビニルアルコール、デンプン又はその誘導体、ヒドロキシプロピルセルロース、アルギン酸ナトリウム、トラントガム、グアーガム、キサンタンガム、アラビアゴム、カラギーナン、ガラクトマンナン、ゼラチン、カゼイン、アルブミン、プルプラン、ポリエチレンオキシド、ビスコース、ポリビニルエチルエーテル、ポリアクリル酸ソーダ、ポリメタアクリル酸ソーダ、ポリアクリルアミド、ポリアクリル酸のヒドロキシル化誘導体、ポリビニルピロリドン／ビニルピロリドン酢酸ビニル共重合体等のバインダー成分が挙げられる。
【００６３】
水解性が良好となる点や架橋反応により湿潤強度を発現しうる点からカルボキシル基を有する水溶性バインダーを用いることが好ましい。
カルボキシル基を有する水溶性バインダーは、水中で容易にカルボキシラートを生成するアニオン性の水溶性バインダーである。その例としては多糖誘導体、合成高分子、天然物が挙げられる。多糖誘導体としてはカルボキシメチルセルロースの塩、カルボキシエチルセルロース又はその塩、カルボキシメチル化デンブン又はその塩などが挙げられ、特にカルボキシメチルセルロースのアルカリ金属塩が好ましい。
【００６４】
合成高分子としては、不飽和カルボン酸の重合体又は共重合体の塩、不飽和カルボン酸と該不飽和カルボン酸と共重合可能な単量体との共重合体の塩などが挙げられる。不飽和カルボン酸としては、アクリル酸、メタクリル酸、イタコン酸、クロトン酸、無水マレイン酸、マレイン酸、フマル酸などが挙げられる。これらと共重合可能な単量体としては、これら不飽和カルボン酸のエステル、酢酸ビニル、エチレン、アクリルアミド、ビニルエーテルなどが挙げられる。特に好ましい合成高分子は、不飽和カルボン酸としてアクリル酸やメタクリル酸を用いたものであり、具体的にはポリアクリル酸、ポリメタクリル酸、アクリル酸メタクリル酸共重合体の塩、アクリル酸又はメタクリル酸とアクリル酸アルキル又はメタクリル酸アルキルとの共重合体の塩が挙げられる。天然物としては、アルギン酸ナトリウム、ザンサンガム、ジェランガム、タラガントガム、ペクチンなどが挙げられる。
【００６５】
〔溶液付与工程〕
次いで、本実施形態の溶液付与工程（Ｓ３）ついて説明する。溶液付与工程（Ｓ３）では、図５に示すように、プライ連続シート１Ｂの両方の外面（連続乾燥原紙１Ａ，１Ａをプライ加工した時に連続乾燥原紙１Ａ，１Ａ同士が対向しない面）に２流体方式又は１流体方式の各スプレーノズル３，３により上述のバインダー溶液を噴霧して連続シート１Ｃを生成する。
プライ加工工程においてプライ加工された直後のプライ連続シート１Ｂは、連続乾燥原紙１Ａ，１Ａが単に重なっているに過ぎないため、溶液付与工程においてプライ連続シート１Ｂの両面から、バインダー溶液をスプレーノズル３，３で塗布すると、連続乾燥原紙１Ａ，１Ａが離れた状態でバインダー溶液を付与する場合と実質的に同様であり、バインダー溶液が厚さ方向に浸透し、搬送中にシート同士が密着し、スリット・巻き取り工程で圧着する中で、更に浸透するのである。
なお、バインダー溶液の噴霧方法として、プライ連続シート１Ｂの片方の外面に上述のバインダー溶液を噴霧するようにしても良い。また、上述の１次原反ロール１，１からそれぞれ繰り出される連続乾燥原紙１Ａ，１Ａの少なくとも一方のシートの外面（各シートが対向しない面）に対して、２流体方式のスプレーノズルより上述のバインダー溶液を噴霧し、直後に当該連続乾燥原紙１Ａ，１Ａをプライ加工することにより、上述の連続シート１Ｃと同等のシートを生成するようにしても良い。
【００６６】
２流体方式のスプレーノズル３は、２系統に分けられた圧縮空気と液体を混合し、噴射させる方式のスプレーノズルであり、圧縮した液体を単独で噴射させる１流体方式のスプレーノズルに比べて、液体をきめ細かく均一に噴霧することができる。
本実施形態で２流体方式のスプレーノズルを使用する場合、プライ加工されたプライ連続シート１Ｂの各々の外面に高い圧力（噴射圧１．５ＭＰａ以上）でバインダー溶液（粘度４００〜１２００ＭＰａ．ｓ）を塗布するので、シートの厚さ方向にバインダー溶液を含浸させやすい。
一方、本実施形態で１流体方式のスプレーノズルを使用する場合、プライ加工されたプライ連続シート１Ｂの各々の外面に噴射圧１．５ＭＰａ以下でバインダー溶液（粘度４００〜１２００ＭＰａ．ｓ）を塗布することで、シートの厚さ方向にバインダー溶液を含浸させやすく、シート表面にバインダー溶液を均一に塗布させやすくしている。
このようにして、プライ連続シート１Ｂの外面にバインダー溶液を噴霧することで、トイレクリーナー１００は、厚み方向において中央（両面に塗布した場合）又はバインダー溶液の非塗布面（片面に塗布した場合）からバインダー溶液の塗布面に向かうにつれて水溶性バインダーの含有量が増加した状態となるので、水解性を確保しつつ、表面強度を向上させることができ、強く擦ってもダメージが生じにくいトイレクリーナー１００を製造することが可能となる。
【００６７】
〔乾燥工程〕
次いで、本実施形態の乾燥工程（Ｓ４）について説明する。乾燥工程（Ｓ４）では、図５に示すように、乾燥設備４において、上述の連続シート１Ｃのバインダー溶液中の不溶な液分を蒸発させて、有効成分、特にＣＭＣを繊維に対して定着させる。
ここで、連続シート１Ｃの外面から厚み方向内側に向かうにつれて、バインダー溶液の浸み込む量が減少していくことから、当該厚み方向内側に向かうにつれて、ＣＭＣの定着量が減少することとなる。そのため、後述する仕上げ加工工程（Ｓ７）で薬液が含浸された際、当該厚み方向内側に向かうにつれて、架橋反応が起こり難く、空隙を多く有することから、シート内部に当該薬液を閉じ込めた状態とすることができる。これにより、得られるトイレクリーナー１００を乾き難くすることができる。
乾燥設備４としては、連続シート１Ｃに対して熱風を吹き付けて乾燥させるフード付きドライヤー設備が利用できる。なお、シート同士をより密着させるために、プレスロールやターンロールを設置し、乾燥工程（Ｓ４）の前に当該プレスロールや当該ターンロールに連続シート１Ｃを通しても良い。
【００６８】
また、上記乾燥設備として赤外線照射による設備を用いても良い。この場合、上記連続シート１Ｃの搬送方向に複数の赤外線照射部を並列し、搬送される当該連続シート１Ｃに対して赤外線を照射して乾燥を行う。赤外線により水分が発熱し乾燥されるものである 
ため、熱風によるドライヤーと比較して、均一な乾燥が可能であり、後段のスリット・巻き取り工程においての皺の発生が防止できる。
【００６９】
〔スリット・巻き取り工程〕
次いで、本実施形態のスリット・巻き取り工程（Ｓ５）について説明する。スリット・巻き取り工程（Ｓ５）では、プライ加工された連続水解性シート１Ｄをオフラインの加工機で加工する際の原反とするために、上述の乾燥工程（Ｓ４）で乾燥されＣＭＣの定着が図られた連続水解性シート１Ｄをテンションを調整しながら、スリッター５で所定の幅にスリットし、ワインダー設備６において、巻き取ることとなる。巻き取り速度は、プライ加工工程（Ｓ２）、溶液付与工程（Ｓ３）、乾燥工程（Ｓ４）を考慮して適宜定める。過度に早いとシートの破断が生じ、過度に遅いと皺が発生するのでこれに留意する。
スリット・巻き取り工程（Ｓ５）で、プライ加工された連続水解性シート１Ｄが圧着されることにより、連続水解性シート１Ｄがより一体化され、１枚相当のシートとなる。
【００７０】
〔エンボス加工工程〕
次いで、本実施形態のエンボス加工工程（Ｓ６）について説明する。エンボス加工工程（Ｓ６）では、図６に示すように、２次原反ロール１１から繰り出される、連続水解性シート１Ｄに対して、エンボスロール１２によって、シート全面に所定の形状をなすエンボス加工が施される。このエンボス加工は、シートの強度、嵩高性、拭き取り性等を高めると共に、デザイン性を高めることを目的としてなされている。
【００７１】
エンボス加工工程においては、凸部のエンボスＥＭ２１と凹部のエンボスＥＭ２２とが交互に配置され、凸部のエンボスＥＭ２１と凹部のエンボスＥＭ２２との間に中間部ＭＤ２１を有するエンボスパターンを形成する。
また、後述の仕上げ加工工程においてシートを最初に折り畳むこととなる方向において、中心位置から１ｍｍから５ｍｍずれた直線上に、凸部のエンボスＥＭ２１と凹部のエンボスＥＭ２２の間の中間部ＭＤ２１の中心点が来るようにエンボスを形成することが望ましい。
【００７２】
〔仕上げ加工工程〕
次いで、本実施形態の仕上げ加工工程（Ｓ７）について説明する。仕上げ加工工程（Ｓ７）では、図６に示すように、仕上げ加工設備１３において、エンボス済シート１Ｅの裁断加工、裁断された各シートの折り加工、折り加工がなされた各シートへの上記薬液の含浸、当該薬液を含浸させた各シートの包装を一連の流れで行う。
薬液を含浸済みのシートに対して折り加工を加えると、シートが破れやすくなり、強度が低下する。したがって、操業性を上げるためにも、折り加工後に薬液を含浸させることが好ましい。また、折り加工後に薬液を含浸させることで、エンボスの形状が保持され易くなり、エンボスの重なりが維持された製品を製造し易くなる。
折り加工の際には、裁断されたエンボス済シート１Ｅが所定回数折り畳まれることとなるが、その最初の折り畳み時において、Ｘ方向又はＹ方向における中心位置から１ｍｍから５ｍｍずれた位置において折り畳まれる。これによって、裁断されたエンボス済シート１Ｅが一度折り畳まれた状態において、端部が２ｍｍから１０ｍｍずれた状態となる。
【００７３】
仕上げ加工工程（Ｓ７）において含浸される薬液に含有される架橋剤は、ＣＭＣを水溶性バインダーとして用いた場合、多価金属イオンを用いることが好ましい。特に、アルカリ土類金属、マンガン、亜鉛、コバルト及びニッケルからなる群から選択される１種又は２種以上の多価金属イオンを用いることが、繊維間が十分に結合されて使用に耐え得る湿潤強度が発現する点、及び水解性が十分になる点から好ましい。これらの金属イオンのうち、カルシウム、ストロンチウム、バリウム、亜鉛、コバルト、ニッケルのイオンを用いることが特に好ましい。
以上の各工程を経ることにより、トイレクリーナー１００が製造される。
【００７４】
さらに、仕上げ加工工程（Ｓ７）においては、トイレクリーナー１００にミシン目を入れてもよい。具体的には、トイレクリーナー１００のＭＤ方向の中心位置に、ＣＤ方向と平行にカッターやブレード等によってミシン目を入れる。これによって、１枚のトイレクリーナーを均等に分割することが可能となり、使用者が複数回に分けて使うことが容易となる。
【００７５】
このように製造されたトイレクリーナー１００において、縦方向及び横方向の少なくとも一方に、凸部のエンボスＥＭ２１と凹部のエンボスＥＭ２２とが、交互に配置され、凸部のエンボスＥＭ２１と凹部のエンボスＥＭ２２との間に中間部ＭＤ２１を有するエンボスパターンのエンボスＥＭ２１及びＥＭ２２の裾の部分を通過するＸ方向に平行な直線（図３（ａ）のＰＴ３１）を折り目として折り畳んだ場合、図３（ｂ）に示すように、下側（一方の側）にある凸部のエンボスＥＭ２１の膨出部ＰＲ３１が、上側（他方の側）の凹部のエンボスＥＭ２２の膨出部ＰＲ３２に入り込むことになり、嵩高である多段構造のエンボスＥＭ２１及びＥＭ２２が潰れにくくなり、かつ、含浸された薬液が乾燥し難くなる。
【００７６】
また、所定回数折り畳む最初の折り畳み時において、端部が２ｍｍから１０ｍｍずれるように折り畳まれることで、凸部のエンボスＥＭ２１の膨出部ＰＲ３１が、凹部のエンボスＥＭ２２の膨出部ＰＲ３２に入り込み、シート同士が密着して折り畳まれていても、シート同士を剥がし、折り畳まれたシートを広げることが容易となる。
【００７７】
以上のように、所定回数折り畳まれた矩形状のトイレクリーナー１００であって、トイレクリーナー１００の全面に縦方向及び横方向の少なくとも一方に、凸部のエンボスＥＭ２１と凹部のエンボスＥＭ２２とが、交互に配置され、凸部のエンボスＥＭ２１と凹部のエンボスＥＭ２２との間に中間部ＭＤ２１を有するエンボスパターンのエンボスが形成され、一方の側の前記凸部のエンボスＥＭ２１が、前記凹部のエンボスＥＭ２２に入り込むように折り畳まれてなることにより、折り畳んだ際に、下側（一方の側）にある凸部のエンボスＥＭ２１の膨出部ＰＲ３１が、上側（他方の側）の凹部のエンボスＥＭ２２の膨出部ＰＲ３２に入り込むので、嵩高である多段構造のエンボスＥＭ２１及びＥＭ２２が保護されて潰れにくく、かつ含浸された薬液が乾燥し難い家庭用薄葉紙を提供することができる。また、所定回数折り畳む最初の折り畳み時において、端部が２ｍｍから１０ｍｍずれるように折り畳まれることで、折り畳まれたシート同士を剥がして広げ易い家庭用薄葉紙を提供することができる。
【００７８】
（実施形態２）
次に、図８を参照しつつ、実施形態２に係る家庭用薄葉紙積層体ＬＹ８１について説明する。
【００７９】
家庭用薄葉紙積層体ＬＹ８１は、実施形態１に係るトイレクリーナー１００…が複数枚積層されたものであり、それぞれのトイレクリーナー１００…が、図３（ｂ）に示したように凸部のエンボスＥＭ２１と凹部のエンボスＥＭ２２とが組み合わさるように折り畳まれると共に、図８に示すように、複数のトイレクリーナー１００…同士が、凸部のエンボスＥＭ２１と凹部のエンボスＥＭ２２とが組み合わさるようにして重ねられている。
【００８０】
なお、図８においては、一度のみ折り畳まれたトイレクリーナー１００が積層された場合につき図示したが、さらに複数回折り畳んだ上で、これを重ねて家庭用薄葉紙積層体とすることも可能である。
【００８１】
このような家庭用薄葉紙積層体の製造工程においては、上記のトイレクリーナー１００の製造方法に記載の過程を全て経て、薬液が一枚一枚含浸されたトイレクリーナー１００を重ねてもよいし、薬液を含浸する過程を省き、ドライシートとして作成されたトイレクリーナーを積層した後に、積層状態において薬液を含浸させてもよい。
【００８２】
積層状態とした後に薬液を含浸させた方が製造は容易となるが、均等に薬液が含浸されず、内側のトイレクリーナーに十分に薬液が行き渡らない可能性があることから、一枚一枚薬液を含浸させた上で、これを積層する方が望ましい。
【実施例】
【００８３】
次に、本発明の実施例及び比較例に係るトイレクリーナーにつき、折り畳まれたトイレクリーナーの広げ易さ及び見栄えに関する官能評価を行った結果、本発明の実施例及び比較例に係るトイレクリーナーにつき、使用時の薬液の減少量に係る試験を行った結果、並びに本発明の実施例及び比較例に係るトイレクリーナー積層体につき、一定時間経過後の薬液の蒸発量に係る試験を行った結果について説明する。
【００８４】
〔折り畳まれたトイレクリーナーの広げ易さ及び見栄えに関する官能評価〕
以下の実施例及び比較例に係るトイレクリーナーを用意した。
【００８５】
（実施例１）
凸部のエンボスと凹部のエンボスとが組み合わさるように折り畳まれた実施形態１に係るトイレクリーナーであり、具体的には以下のとおりである。
原紙の材料：パルプ９８重量％、ＰＶＡ繊維２重量％
原紙の大きさ：ＭＤ方向３３０ｍｍ、ＣＤ方向２３０ｍｍ、高さ０．５ｍｍ
目付（ドライ状態）：９０ｇ／ｍ２（３プライ）
エンボスの大きさ：ＭＤ方向４ｍｍ、ＣＤ方向４ｍｍ、
エンボスの深さ：２ｍｍ
エンボスの形成数：ＭＤ方向１０ｃｍ、ＣＤ方向１０ｃｍの正方形の範囲に、ＭＤ方向２０列、ＣＤ方向２２列
薬液成分：界面活性剤を０．５重量％、エタノールを５重量％、除菌剤を０．５重量％、安定化剤を４重量％、香料を０．５重量％、水を８９．５重量％
薬液含浸率：１７０％
折畳み方法：ＣＤ方向に端部が２ｍｍずれるように折り畳んだ後、ＭＤ方向に端部を合
わせて２度折り畳んだ。なお、いずれの折り畳み時においても、凹部のエン
ボスと凸部のエンボスとが組み合わさるように折り畳んだ。
【００８６】
（実施例２）
実施例１につき、最初の折り畳み時にＣＤ方向に端部が３ｍｍずれるように折り畳んだ。その他の構成は実施例１と同様である。
【００８７】
（実施例３）
実施例１につき、最初の折り畳み時にＣＤ方向に端部が５ｍｍずれるように折り畳んだ。その他の構成は実施例１と同様である。
【００８８】
（実施例４）
実施例１につき、最初の折り畳み時にＣＤ方向に端部が１０ｍｍずれるように折り畳んだ。その他の構成は実施例１と同様である。
【００８９】
（実施例５）
実施例１につき、最初の折り畳み時にＣＤ方向に端部が１５ｍｍずれるように折り畳んだ。その他の構成は実施例１と同様である。
【００９０】
（実施例６）
実施例１につき、最初の折り畳み時にＣＤ方向に端部が１ｍｍずれるように折り畳んだ。その他の構成は実施例１と同様である。
【００９１】
（比較例１）
実施例１につき、最初の折り畳み時に端部を合わせて折り畳んだ。その他の構成は実施例１と同様である。
【００９２】
（評価方法）
上記実施例及び比較例にかかるトイレクリーナーにつき、被験者に折り畳まれた状態から実際に広げさせ、その広げ易さを評価した。具体的には、広げにくいと感じた場合につき×、やや広げにくいと感じた場合につき△、広げるのが容易と感じた場合につき○、広げるのが非常に容易と感じた場合につき◎の４段階で評価した。
また、被験者に対して折り畳まれた状態の実施例及び比較例にかかるトイレクリーナーを観察させ、その見栄えを評価した。具体的には、見栄えが良いと感じた場合につき◎、見栄えが良いとまではいえないが許容範囲と感じた場合には○、見栄えが悪いと感じた場合につき×の３段階で評価した。
【００９３】
（評価結果）
評価の結果を表Ｉに示す。
【００９４】
【表１】
2019162279.tif 000003
【００９５】
（評価）
実施例１から６と、比較例１との比較により、トイレクリーナーを最初の折り畳み時において端部がずれるように折り畳むことによって、広げ易くなることが分かる。また、実施例６と、実施例１から５の比較により、端部のずれを２ｍｍ以上とすることで、広げ易さを改善できることが分かり、実施例１と、実施例２から５の比較により、端部のずれを３ｍｍ以上とすることで、さらに広げ易さを改善できることが分かる。
実施例１から４及び６並びに比較例１と、実施例５との比較により、シートの端部のずれを、１０ｍｍ以下とすることによって、シートの見栄えの悪化を抑えることができることが分かり、実施例１から３及び６並びに比較例１と、実施例４との比較により、５ｍｍ以下とすることで、シートの見栄えの悪化をさらに抑えることができることが分かる。
【００９６】
〔トイレクリーナー使用時の薬液の減少量に係る試験〕
以下の実施例及び比較例に係るトイレクリーナーを用意した。
【００９７】
（実施例１）
凹部のエンボスと凸部のエンボスとが組み合わさるように折り畳まれた上記実施例１に係るトイレクリーナーである。
【００９８】
（実施例７）
実施例１につき、２プライとしたものであり（目付（ドライ状態）：８８ｇ／ｍ２）、具体的には以下のとおりである。
エンボスの大きさ：ＭＤ方向４ｍｍ、ＣＤ方向８ｍｍ
エンボスの深さ：２ｍｍ
その他の構成は、実施例１と同様である。
【００９９】
（実施例８）
実施例１につき、エンボスの形状及び配置を変更し、凸部のエンボスと凸部のエンボスとが組み合わさらないようにしたものであり、その他の構成は、実施例１と同様である。
具体的なエンボスの条件は、以下のとおりである。
エンボスの大きさ：ＭＤ方向１ｍｍ、ＣＤ方向２ｍｍ、
エンボスの深さ：１ｍｍ
エンボスの配置：凸部のエンボス又は凹部のエンボスのみによって、ＭＤ方向に沿った列が形成され、ＣＤ方向において、凸部のエンボスによって形成された列と、凹部のエンボスによって形成された列とが交互に並ぶように配置した。
【０１００】
（試験方法）
拭き取試験機を用いて、折り畳まれたままの状態の実施例及び比較例に係るトイレクリーナーにつき、往復するようにして拭き取り試験を行い、一往復ごとにその重量を測定し、一往復ごとの重量の減少量を算出した。
なお、具体的な拭き取り試験の条件は、以下のとおりである。
距離：一往復６０ｃｍ
荷重：３００ｇ
【０１０１】
（試験結果）
試験の結果を表IIに示す。
【０１０２】
【表２】
2019162279.tif 000004
【０１０３】
（評価）
実施例１と、実施例８との比較により、凸部のエンボスと凹部のエンボスとが組み合わさるようにトイレクリーナーが折り畳まれていることによって、折り畳んだまま拭き取りに使用した際の薬液の減少を抑えられることが分かる。
また、実施例１と実施例７との比較により、トイレクリーナーが３プライの場合に、２プライの場合と比較して、さらに薬液の減少を抑えられることが分かる。
【０１０４】
〔トイレクリーナー積層体保管時の重量減少に係る試験〕
以下の実施例及び比較例に係るトイレクリーナー積層体を用意した。
【０１０５】
（実施例９）
１０枚の実施例１に係るトイレクリーナーを、折り畳まれた状態のままで重ねて作製した、各トイレクリーナーが凸部のエンボスと凹部のエンボスとが組み合わさるように折り畳まれ、このようなトイレクリーナーが、凸部のエンボスと凹部のエンボスとが組み合わさるように積層された、実施形態２に係るトイレクリーナー積層体である。
【０１０６】
（実施例１０）
１０枚の実施例８に係るトイレクリーナーを、折り畳まれた状態のままで重ねて作製した、各トイレクリーナーが凸部のエンボスと凹部のエンボスとが組み合わさらずに折り畳まれ、このようなトイレクリーナーが、凸部のエンボスと凹部のエンボスとが組み合わさらずに積層されたトイレクリーナー積層体である。
【０１０７】
（試験方法）
実施例及び比較例に係るトイレクリーナー積層体を、容器（具体的には、エリエール  ミチガエルトイレクリーナー）にいれ、２５℃に保たれた空間に放置し、試験開始時、２４時間経過時及び９６時間経過時に重量を計測した。
【０１０８】
（試験結果）
試験の結果を表IIIに示す。
【０１０９】
【表３】
2019162279.tif 000005
【０１１０】
（評価）
実施例９と、実施例１０との比較により、トイレクリーナー積層体を、各トイレクリーナーが凸部のエンボスと凹部のエンボスとが組み合わさるように折り畳まれ、このようなトイレクリーナーが、凸部のエンボスと凹部のエンボスとが組み合わさって積層されるように形成することによって、保管時の薬液の蒸発を抑えられることが分かる。
【０１１１】
以上、本発明を実施形態に基づいて具体的に説明してきたが、本発明は上記実施形態に限定されるものではなく、その要旨を逸脱しない範囲で変更可能である。
【０１１２】
本発明の実施形態１、２の説明に際しては、トイレクリーナーを一例としたが、ウェット衛生薄葉紙であれば、トイレクリーナーに限らず全ての紙製品（例えば、キッチンクリーナー等）にも用いることができる。また、ウェット衛生薄葉紙に限らず、ドライ衛生薄葉紙にも用いることができる。
【０１１３】
本発明の実施形態１、２の説明に際しては、トイレクリーナー１００の素材として、水解性の繊維集合体を一例に挙げたが、これに限らずパルプや不織布繊維を使用した紙全般が含まれる。
【０１１４】
本発明の実施形態１の説明に際しては、縦方向及び横方向の少なくとも一方に、凸部のエンボスＥＭ２１と凹部のエンボスＥＭ２２とが、交互に配置され、凸部のエンボスＥＭ２１と凹部のエンボスＥＭ２２との間に中間部ＭＤ２１を有するエンボスパターンを例示しているが、必ずしもこの形状に限定されるものではなく、３段以上の多段構造であってもよい。また、エンボスの形状は方形、多角形等の任意の形状でよい。
【０１１５】
また、図３（ｂ）における凸部のエンボスＥＭ２１から凹部のエンボスＥＭ２２までの高さＨＴ３１及びＨＴ３２は、例えば、０．４ｍｍ〜５．０ｍｍであることが好ましい。
【０１１６】
また、本発明の実施形態等の説明に際しては、スプレー方式によりバインダー溶液を塗布するようにしたが、１次原反ロール１から連続的に繰り出される連続乾燥原紙１Ａに対して、ドクターチャンバー方式（一つのバックアップロールに対して対になる二つの刷版ロールと、各刷版ロールと対になるアニロックロールと、各アニロックスロールに対して薬液を付与するドクターチャンバーを備える転写設備）、若しくは／及び、３ロール方式（一つのバックアップロールに対して対になる二つの刷版ロールと、各刷版ロールと対になるアニロックロールと、各アニロックスロールに対して薬液を付与するディップロールと、ディップロールに薬液を付与するパンを備える転写設備）によってバインダー溶液を塗布するようにしてもよい。つまり、複数の原紙（連続乾燥原紙１Ａ）がプライ加工されてなる水解性シートの製造方法において、水溶性バインダーを含んでいない複数の原紙のうち、前記水解性シートの表面及び裏面となる原紙の少なくともいずれか一方の面に対してバインダー溶液を付与（転写）する溶液付与工程と、前記複数の原紙をプライ加工するプライ加工工程と、プライ加工されたシートを乾燥させる乾燥工程と、前記乾燥工程で乾燥させた前記シートを所定幅にスリットし巻き取る巻き取り工程と、を含み、前記溶液付与工程は、前記水解性シートの表面及び裏面となる原紙の少なくともいずれか一方の面に対応して設けられた印刷機から前記バインダー溶液を対応する原紙に転写するようにする。
なお、上記溶液付与工程では、水溶性バインダーを含んでいない複数の原紙のうち、水解性シートの表面及び裏面となる原紙の少なくともいずれか一方の面に対してバインダー溶液を付与する他、水溶性バインダーを含む複数の原紙のうち、水解性シートの表面及び裏面となる原紙の少なくともいずれか一方の面に対してバインダー溶液を付与するようにしてもよい。
【０１１７】
単なるロール転写では、所望量の薬液を付与するためには、極めて高濃度の薬液が必要となり、かかる薬液は粘度が高くなるためにロール転写で均一転写することができない。また、粘度を低くするために濃度を低くすれば、上述の通り所望の付与量とすることができない。このように乾燥原紙に対して薬液を付与することが極めて困難なことであることから、ドクターチャンバー方式、若しくは／及び、３ロール方式を採用する。
一つのバックアップロールに対して対となる刷版ロールを設けるドクターチャンバー方式、若しくは／及び、３ロール方式を採用することにより、各刷版ロールにおける付与量が少なくとも、合計量において十分な量の薬液を乾燥原紙に対して付与できる。また、バックアップロールが一つであることにより、極めて均一に付与できる。これは、バックアップロールが一つであることで、最初の刷版ロールから次の刷版ロールまでの間の張力が極めて安定して一定であることから、二つの刷版ロールで二段階付与しても、連続原紙に対して極めて均一に薬液を付与することができるのである。また、二つの刷版ロールの間隔が短くなることから、最初の刷版ロールで薬液が付与された後、直ちに次の刷版ロールでの付与がなされことからも、付与ムラなく均一転写ができるのである。このような効果は、単に、バックアップロールと刷版ロールを一対二段にしただけでは得ることはできない。
【０１１８】
また、より好ましくはドクターチャンバー方式で薬液を付与する方が、３ロール方式より幅方向でより均一に安定して薬液を転写できるため好ましい。
更に、薬液が付与された連続紙を乾燥させる乾燥工程を有する。この乾燥工程は、連続紙に直接的に接触しない間接乾燥が望ましく、特に赤外線照射によるものが望ましい。間接乾燥の場合には皺の発生が抑制される。特に、赤外線照射によるものとすると、紙面各所の乾燥が均一に生ずるので、乾燥時における皺や歪みなどの発生が効果的に防止できる。
以下にドクターチャンバー方式を例に詳しく説明する。
【０１１９】
このドクターチャンバー方式による転写設備は、一つのバックアップロールに対して一つの刷版ロールが設けられている。
バインダー溶液を塗布する際の塗布加工速度は３０〜１００ｍ／分で操業され、より好ましくは５０〜８０ｍ／分で操業される。３０ｍ／分未満では乾燥されるまえにクレープが伸びてしまい、後工程で加工しづらいという問題がある。逆に１００ｍ／分超過では十分な転写量が得られなかったり、幅方向での塗布量のバラツキにより、湿潤強度や水解性にバラツキが生じる。
【０１２０】
上記バックアップロールの直径は２５０〜４２０ｍｍが適当である。直径が２５０ｍｍ未満であると刷版ロールとバックアップロールの接地面積が少なくなり安定的な塗布ができなくなる。直径が４２０ｍｍ超であっても製造上の問題はないが、設備費用が過多にかかるため好ましくない。
【０１２１】
上記刷版ロールには、これにバインダー溶液を受け渡すアニロックスロールがそれぞれ設けられており、このアニロックスロールに対しては、これにバインダー溶液を受け渡して付与するドクターチャンバーが設けられている。また、ドクターチャンバーに対しては、これにバインダー溶液を受け渡して付与するスネークポンプが、アニロックスロールの溶液パンに供給するための送りと戻りの両方に設置されており、ドクターチャンバーに対して粘度の高いバインダー溶液の移送が可能となっている。
【０１２２】
１次原反ロール１から繰り出された連続乾燥原紙１Ａは、適宜のガイドロールを介して、バックアップロールに巻き掛けられて、適宜の張力と表面の安定性が付与される。
そして、このバックアップロールに巻き掛けられた連続乾燥原紙１Ａに対して、刷版ロールにてバインダー溶液がロール転写される。
ここで、刷版ロールは、凹溝のないベタ版仕様のシームレスロールとし、連続乾燥原紙１Ａの全体にバインダー溶液をベタ印刷の如く付与する。この刷版ロールとして用いられるシームレスロールは、タイプロールのスリーブにゴム板を巻きつけ釜に入れて過熱溶接し、研磨して成形したものである。材料として用いるゴム板は所定の目的に応じて材質や硬度、色等を選択することができる。
【０１２３】
他方、刷版ロールにバインダー溶液を受け渡すアニロックスロールの線数及びセル容量は、バインダー溶液の濃度にもよるが、線数６０〜１２０線／インチ、セル容量４０〜９０ｍｌ／ｍ2とするのが望ましい。線数が６０線／インチ未満であると刷版ロールに過度
のバインダー溶液が受け渡され、結果的に連続乾燥原紙１Ａに対して刷版ロールからムラを持ってバインダー溶液が付与されるおそれが高まる。反対に、線数が１２０線／インチを超えると十分な量かつ刷版ロールの周面全体にバインダー溶液を受け渡すことが困難となる。また、セル容量が４０ｍｌ／ｍ2未満であると十分な量のバインダー溶液を刷版ロ
ールに受け渡すことが困難となり、セル容量が９０ｍｌ／ｍ2を超えても歩留まりの悪化
を招くだけである。
なお、上述のようにバインダー溶液が付与（転写）される連続乾燥原紙１Ａは、プライ加工する際に最上層又は最下層となる原紙のみを対象とする。つまり、例えば、３プライ加工する場合、中層となる連続乾燥原紙１Ａに対してはバインダー溶液を付与（転写）しない。
【０１２４】
また、上記のドクターチャンバー方式では、連続乾燥原紙１Ａに対してバインダー溶液を転写、すなわち、プライ加工工程の前、連続乾燥原紙１Ａに対してバインダー溶液を転写するようにしているが、プライ加工工程の後、プライ加工されたプライ連続シート１Ｂに対してバインダー溶液を転写するようにしてもよい。
つまり、複数の原紙（連続乾燥原紙１Ａ）がプライ加工されてなる水解性シートの製造方法において、水溶性バインダーを含んでいない複数の原紙をプライ加工するプライ加工工程と、プライ加工されたシートに対してバインダー溶液を付与（転写）する溶液付与工程と、前記バインダー溶液を付与されたシートを乾燥させる乾燥工程と、前記乾燥工程で乾燥させた前記シートを所定幅にスリットし巻き取る巻き取り工程と、を含み、前記溶液付与工程は、プライ加工されたシートの少なくともいずれか一方の外面に対応して設けられた印刷機から前記バインダー溶液を対応する外面に転写するようにする。
なお、上記プライ加工工程では、水溶性バインダーを含んでいない複数の原紙をプライ加工する他、水溶性バインダーを含む複数の原紙をプライ加工するようにしてもよい。
このように、ドクターチャンバー方式でバインダー溶液を転写する場合、粘度の高いバインダー溶液を塗布することができるので、シート内部までバインダー溶液が浸透することを抑制することができる。よって、シート表面にのみＣＭＣを定着させることが可能となる。なお、ドクターチャンバー方式でバインダー溶液を転写する場合の他、例えば、ホットメルト樹脂塗工用のコーターによりバインダー溶液をシート表面にコーティングするようにしてもよい。かかる場合もシート表面にのみＣＭＣを定着させることが可能となる。
【０１２５】
また、本発明の実施形態１の説明に際しては、図５に示す溶液付与設備の溶液付与工程でバインダー溶液が付与されるようにしたが、抄紙工程の段階でバインダー溶液を付与するようにしてもよい。
つまり、複数の原紙（連続乾燥原紙１Ａ）がプライ加工されてなる水解性シートの製造方法において、前記複数の原紙をそれぞれ抄造する抄紙工程を含み、前記抄紙工程は、抄造中の湿紙に対してバインダー溶液を付与するようにする。
【０１２６】
具体的には、抄紙工程では、例えば、抄紙網で形成された湿紙をフェルト上に載せて搬送すると共に、そのフェルト上の湿紙をタッチロールを介してヤンキードライヤーに移行させ、そのヤンキードライヤーに付着されて搬送される過程で湿紙を乾燥させて原紙を得るが、上述のヤンキードライヤー上に移行された直後の湿紙に対してバインダー溶液をスプレーノズルから噴霧するようにする。
このように、抄紙工程でもバインダー溶液を付与した場合、得られる水解性シート全体の強度を高めることができ、後工程の溶液付与工程で更にバインダー溶液を付与することにより、当該水解性シートの表面強度をより一層高めることができるようになる。
【０１２７】
また、本発明の実施形態等の説明に際しては、水溶性バインダーとしてＣＭＣを用いたが、ポリビニルアルコール（ＰＶＡ）を用いてもよい。
【０１２８】
その他、トイレクリーナー１００の細部構成に関しても、本発明の趣旨を逸脱することのない範囲で適宜変更可能である。
【０１２９】
［用語の説明］
明細書中の下記の用語は、特に記載がない限り、以下の意味を有するものとする。
（薬液含浸率）
薬液含浸前のシートの質量と、含浸させる薬液の質量とを測定し、薬液含浸前のシートの質量に対する含浸させる薬液の質量の割合を算出したものをいう。
（目付）
ＪＩＳ  Ｐ  ８１２４：２０１１に従って測定した坪量をいう。
（シート、エンボス等の長さ）
家庭用薄葉紙を、テンションが掛かっていない状態で平坦な面に置き、当該状態で測定した長さをいう。
【符号の説明】
【０１３０】
１００  トイレクリーナー（家庭用薄葉紙）
ＥＭ２１、ＥＭ２２  エンボス
ＭＤ２１  中間部
ＬＹ８１  家庭用薄葉紙積層体
【図１】
2019162279.tif 000006
【図２】
2019162279.tif 000007
【図３】
2019162279.tif 000008
【図４】
2019162279.tif 000009
【図５】
2019162279.tif 000010
【図６】
2019162279.tif 000011
【図７】
2019162279.tif 000012
【図８】
2019162279.tif 000013
【図９】
2019162279.tif 000014